(57)【特許請求の範囲】
【請求項１】
上部が開口し、印刷媒体に印刷可能な印刷部、及び前記印刷部の駆動を制御する制御部を内部に収容する筐体と、
前記筐体の上部に配置され、一端部に設けた所定の回転軸を中心に他端部側を回動して、前記筐体上部の開口を開閉する蓋体と、
前記制御部に対する指示の入力を受け付ける操作部が設けられた入力装置と、
前記筐体上部の開口を閉塞した場合の前記蓋体の上部に設けられ、前記蓋体に対する所定の着脱方向に沿って前記入力装置を取り付け及び取り外し可能な装着部と
を備え、
前記入力装置の前記着脱方向は、前記回転軸に沿う方向であること
を特徴とする印刷装置。
【請求項２】
前記装着部は、前記蓋体の前記一端部と前記他端部の夫々において前記着脱方向の中央に設け、互いに向き合う方向に突出し、前記着脱方向に沿って前記蓋体の長さの１／３以上、１未満の長さに亘って延びる一対の鍔部を有し、
前記入力装置は、前記装着部への装着時に前記一対の鍔部の夫々に係合し、前記着脱方向に前記鍔部より長く延びる一対の溝部を有すること
を特徴とする請求項１に記載の印刷装置。
【請求項３】
前記装着部は、前記着脱方向の一方側の端部に、前記入力装置の前記着脱方向への移動を規制する規制部を備えることを特徴とする請求項１又は２に記載の印刷装置。
【請求項４】
前記筐体に回動可能に支持される支持部、及び前記支持部の回動に伴い、前記装着部よりも上方の第一位置と前記装着部よりも下方の第二位置との間で移動する把持部を備えるハンドルを更に備え、
前記支持部は、前記把持部が前記第一位置にある場合に、前記着脱方向の他方側における前記装着部の側方に位置することを特徴とする請求項１から３のいずれかに記載の印刷装置。
【請求項５】
前記入力装置は、前記装着部に装着した場合における前記着脱方向に直交する側面で、
前記蓋体を閉じた状態における前記筐体の上下方向に直交し、且つ前記回転軸と直交する方向の中央に、前記制御部と前記入力装置とを電気的に接続する接続線を接続する接続部を備え、
前記ハンドルの前記支持部は、前記把持部が前記第一位置に位置する場合の前記第二位置側を山側にして屈曲する屈曲部を有することを特徴とする請求項４に記載の印刷装置。
【請求項６】
前記筐体は、
前記支持部が前記筐体に支持される位置よりも前記第二位置とは反対側の位置に形成され、前記印刷部に搬送される前記印刷媒体を前記筐体内に導入する導入口と、
前記把持部が前記第一位置に位置する場合に、前記支持部の前記第二位置とは反対側への回動を禁止する禁止機構と
を有することを特徴とする請求項４又は５に記載の印刷装置。
【請求項７】
前記入力装置は、前記装着部に装着した場合における前記着脱方向の側面の中央に、前記制御部と前記入力装置とを電気的に接続する接続線を接続する接続部を備え、
前記一対の溝部は、前記操作部が設けられた主面寄りの位置に一対に設けられた第一溝部と、前記主面とは反対側の裏面寄りの位置に一対に設けられた第二溝部とを含むこと
を特徴とする請求項２に記載の印刷装置。
【請求項８】
前記接続線の直径以上の間隙を有する開環状に形成され、環内に前記接続線を上下方向に挿通可能であり、且つ前記接続線を、前記上下方向に直交する四方向のうちの三方向から内面で挟んで環内に保持可能な一対の保持部を有し、前記筐体の側面に設けられるケーブルクリップを備えることを特徴とする請求項７に記載の印刷装置。
【請求項９】
上部が開口し、印刷媒体に印刷可能な印刷部、及び前記印刷部の駆動を制御する制御部を内部に収容する筐体と、
前記筐体の上部に配置され、一端部に設けた所定の回転軸を中心に他端部側を回動して、前記筐体上部の開口を開閉する蓋体と、
前記制御部に対する指示の入力を受け付ける操作部が設けられた入力装置と、
前記筐体上部の開口を閉塞した場合の前記蓋体の上部に設けられ、前記蓋体に対する所定の着脱方向に沿って前記入力装置を取り付け及び取り外し可能な装着部と、
前記筐体に回動可能に支持される支持部、及び前記支持部の回動に伴い、前記装着部よりも上方の第一位置と前記装着部よりも下方の第二位置との間で移動する把持部を備えるハンドルと
を備え、
前記入力装置の前記着脱方向は、前記蓋体の前記他端部の位置において前記回転軸の周方向に接する接線の延びる方向に対して直交する方向であり、
前記支持部は、前記把持部が前記第一位置にある場合に、前記着脱方向の他方側における前記装着部の側方に位置すること
を特徴とする印刷装置。
【発明の詳細な説明】
【技術分野】
【０００１】
本発明は、筐体に取り付け、取り外しが可能な入力装置を備えた印刷装置に関する。
【背景技術】
【０００２】
筐体の上部に開閉可能に設けた蓋体に、キーボードを一体に設けた決済端末装置が知られている（例えば特許文献１参照。）。特許文献１に記載の決済端末装置は、蓋体の後端側が筐体にヒンジ結合されており、ロール紙の交換時や装置のメンテナンス時に、蓋体の前端側を上方に開放することができる。
【０００３】
また、ハウジングの上面にキーボードを載置可能に構成した情報処理装置が知られている（例えば特許文献２参照。）。特許文献２に記載の情報処理装置のキーボードはハウジングと別体で、ハウジングに対して固定されていないので、ユーザが載置面から取り外してデータ入力することができる。キーボードの載置面には突出片が設けられており、キーボードは、キーボードに設けられた凹部に突出片が接触することによって、載置面で前後左右方向への移動が規制される。
【先行技術文献】
【特許文献】
【０００４】
【特許文献１】特開２００７−１７２０１４号公報
【特許文献２】特開２００８−１９８０７０号公報
【発明の概要】
【発明が解決しようとする課題】
【０００５】
しかしながら、筐体の上部に開閉可能な蓋体を設け、蓋体上に別体の入力装置を載置する構成とした場合、ユーザが蓋体を開放しようとして誤操作で入力装置を持ち上げ、入力装置を蓋体から取り外してしまう可能性があった。
【０００６】
本発明は、筐体上部に設けた蓋体の開閉方向と、蓋体上部に装着する入力装置の着脱方向とを異ならせた印刷装置を提供することを目的とする。
【課題を解決するための手段】
【０００７】
本発明の一態様によれば、上部が開口し、印刷媒体に印刷可能な印刷部、及び前記印刷部の駆動を制御する制御部を内部に収容する筐体と、前記筐体の上部に配置され、一端部に設けた所定の回転軸を中心に他端部側を回動して、前記筐体上部の開口を開閉する蓋体と、前記制御部に対する指示の入力を受け付ける操作部が設けられた入力装置と、前記筐体上部の開口を閉塞した場合の前記蓋体の上部に設けられ、前記蓋体に対する所定の着脱方向に沿って前記入力装置を取り付け及び取り外し可能な装着部とを備え、前記入力装置の前記着脱方向は、前記回転軸に沿う方向であることを特徴とする印刷装置が提供される。
【０００８】
蓋体は、他端部側が回転軸の周方向に回動することで、筐体上部の開口を開閉する。即ち、蓋体が開閉される場合、蓋体の他端部は、他端部の位置において回転軸の周方向に接する接線が延びる方向に沿って、外力を受ける。第一態様において、蓋体に対する入力装置の着脱方向は、上記接線に直交する方向である。従って、ユーザが蓋体を開閉する際に誤って入力装置に外力を加えた場合でも、入力装置は、着脱方向への外力を受けないので、蓋体から外れてしまうことがない。
【０００９】
蓋体の開放時、他端部が一端部よりも上方に位置すると、入力装置には、蓋体の他端部において回転軸の径方向に沿う方向に、重力成分が付加される。着脱方向が回転軸に沿う方向であれば、上記接線の延びる方向だけでなく、重力成分の方向に対しても直交するので、入力装置がユーザによる取り外しの操作以外で蓋体から外れてしまうことを確実に防止することができる。
【００１０】
本態様において、前記装着部は、前記蓋体の前記一端部と前記他端部の夫々において前記着脱方向の中央に設け、互いに向き合う方向に突出し、前記着脱方向に沿って前記蓋体の長さの１／３以上、１未満の長さに亘って延びる一対の鍔部を有してもよい。前記入力装置は、前記装着部への装着時に前記一対の鍔部の夫々に係合し、前記着脱方向に前記鍔部より長く延びる一対の溝部を有してもよい。装着部の鍔部と入力装置の溝部との係合は、着脱方向における装着部の中央においてなされる。よって装着部には、入力装置の重みによる負荷が着脱方向の一方側に偏って加わりにくい。故に装着部は、入力装置を確実に保持できる。また、鍔部と溝部との係合は、着脱方向における装着部の１／３以上の長さに亘ってなされる。即ち、鍔部と溝部との非係合部分は、係合部分の着脱方向の両側に一対に、夫々、係合部分の長さ以下で配置される。故に、鍔部は、係合部分において、夫々の非係合部分以上の長さで溝部と係合して入力装置を支えるので、非係合部分における入力装置の重みによる負荷を十分に支えることができる。また、ユーザは、入力装置を、着脱方向の長さの２／３以上、且つ全長よりは短い長さ分、着脱方向にスライドさせるだけで、容易に、装着部に取り付け及び取り外しすることができる。
【００１１】
本態様において、前記装着部は、前記着脱方向の一方側の端部に、前記入力装置の前記着脱方向への移動を規制する規制部を備えてもよい。印刷装置は、規制部によって、入力装置の装着部への取り付け及び取り外しを着脱方向の一方側とは反対側からのみに限定することができる。
【００１２】
本態様は、前記筐体に回動可能に支持される支持部、及び前記支持部の回動に伴い、前記装着部よりも上方の第一位置と前記装着部よりも下方の第二位置との間で移動する把持部を備えるハンドルを更に備えてもよい。この場合に、前記支持部は、前記把持部が前記第一位置にある場合に、前記着脱方向の他方側における前記装着部の側方に位置してもよい。ユーザがハンドルの把持部を第一位置に移動して印刷装置を持ち運ぶ場合、支持部は装着部の着脱方向他方側の側方に位置する。故に、例えば印刷装置の運搬時の揺れなどにより入力装置の脱着方向に外力が加わった場合でも、入力装置は規制部と支持部によって着脱方向への移動が規制されるので、蓋体から外れてしまうことがない。
【００１３】
本態様において、前記入力装置は、前記装着部に装着した場合における前記着脱方向に直交する側面で、前記蓋体を閉じた状態における前記筐体の上下方向に直交し、且つ前記回転軸と直交する方向の中央に、前記制御部と前記入力装置とを電気的に接続する接続線を接続する接続部を備えてもよい。前記ハンドルの前記支持部は、前記把持部が前記第一位置に位置する場合の前記第二位置側を山側にして屈曲する屈曲部を有してもよい。ハンドルは、把持部が第一位置に位置する場合に、屈曲部によって接続線との接触を避けることができる。
【００１４】
本態様において、前記筐体は、前記支持部が前記筐体に支持される位置よりも前記第二位置とは反対側の位置に形成され、前記印刷部に搬送される前記印刷媒体を前記筐体内に導入する導入口と、前記把持部が前記第一位置に位置する場合に、前記支持部の前記第二位置とは反対側への回動を禁止する禁止機構とを有してもよい。ハンドルの支持部は、禁止機構によって、把持部が第一位置に位置する状態から第二位置とは反対側に回動しないので、導入口を塞いだり、印刷媒体に接触したりすることがない。
【００１５】
本態様において、前記入力装置は、前記装着部に装着した場合における前記着脱方向の側面の中央に、前記制御部と前記入力装置とを電気的に接続する接続線を接続する接続部を備えてもよい。前記一対の溝部は、前記操作部が設けられた主面寄りの位置に一対に設けられた第一溝部と、前記主面とは反対側の裏面寄りの位置に一対に設けられた第二溝部とを含んでもよい。入力装置は、主面を上側に配置する場合、第二溝部を装着部の鍔部に係合させて、装着部に装着することができる。この場合、ユーザは、装着部に入力装置を装着したまま、制御部に対する入力操作を行うことができる。また、裏面を上側に配置する場合、入力装置は、第一溝部を装着部の鍔部に係合させて、装着部に装着することができる。この場合、印刷装置は、操作部を外部との接触から保護することができる。そして、入力装置の側面中央に接続部が設けられているので、接続線は、入力装置の着脱を繰り返しても入力装置や筐体に絡まりにくい。
【００１６】
本態様は、前記接続線の直径以上の間隙を有する開環状に形成され、環内に前記接続線を上下方向に挿通可能であり、且つ前記接続線を、前記上下方向に直交する四方向のうちの三方向から内面で挟んで環内に保持可能な一対の保持部を有し、前記筐体の側面に設けられるケーブルクリップを備えてもよい。ケーブルクリップは、環内に接続線を上下方向に挿通させた状態で、一対の保持部の夫々で接続線を挟み、接続線を環内に保持することができる。入力装置を装着部から取り外す場合、ユーザは、接続線を引っ張ることによって、接続線を保持部による保持から解放し、間隙を通して環内から取り出して、接続線をケーブルクリップから容易に取り外すことができる。
また、本発明の他の態様によれば、上部が開口し、印刷媒体に印刷可能な印刷部、及び前記印刷部の駆動を制御する制御部を内部に収容する筐体と、前記筐体の上部に配置され、一端部に設けた所定の回転軸を中心に他端部側を回動して、前記筐体上部の開口を開閉する蓋体と、前記制御部に対する指示の入力を受け付ける操作部が設けられた入力装置と、前記筐体上部の開口を閉塞した場合の前記蓋体の上部に設けられ、前記蓋体に対する所定の着脱方向に沿って前記入力装置を取り付け及び取り外し可能な装着部と、前記筐体に回動可能に支持される支持部、及び前記支持部の回動に伴い、前記装着部よりも上方の第一位置と前記装着部よりも下方の第二位置との間で移動する把持部を備えるハンドルとを備え、前記入力装置の前記着脱方向は、前記蓋体の前記他端部の位置において前記回転軸の周方向に接する接線の延びる方向に対して直交する方向であり、前記支持部は、前記把持部が前記第一位置にある場合に、前記着脱方向の他方側における前記装着部の側方に位置することを特徴とする印刷装置が提供される。
【図面の簡単な説明】
【００１７】
【図１】印刷装置１を右前上方から見た斜視図である。
【図２】カバー１２を開いた印刷装置１を右前上方から見た斜視図である。
【図３】キーボード７をハンドル２に立て掛けた印刷装置１を右前上方から見た斜視図である。
【図４】印刷装置１の内部構造を模式的に示す平面図である。
【図５】ハンドル２の回転禁止機構４５を模式的に示す側面図である。
【図６】キーボード７の平面図である。
【図７】キーボード７の正面図である。
【図８】キーボード７の右側面図である。
【図９】キーボード７の底面図である。
【図１０】ケーブルクリップ６の平面図である。
【図１１】ケーブルクリップ６の正面図である。
【図１２】ケーブルクリップ６の右側面図である。
【図１３】裏面７Ｂを上向きにしてキーボード７を装着した印刷装置１を右前上方から見た斜視図である。
【発明を実施するための形態】
【００１８】
以下、本発明を具体化した一実施の形態について、図面を参照して説明する。なお、参照する図面は、本発明が採用しうる技術的特徴を説明するために用いられるものである。図示された装置の構成は、その形態のみに限定する趣旨ではなく、単なる説明例である。
【００１９】
図１〜図４を参照し、本発明に係る印刷装置１の概略構成について説明する。なお、図４は、テープカセット８０、リボンカセット９０、及びチューブ９が、テープ装着部３０、リボン装着部３５、及びチューブ装着部４０に夫々装着された状態を示す。以下の説明では、図１の左下方、右上方、左上方、右下方、上方、下方を、夫々、印刷装置１の前方、後方、左方、右方、上方、下方と定義する。
【００２０】
図１〜図３に示すように、印刷装置１は２つの印刷機構を備え、帯状の印刷媒体であるテープ８（図４参照）と、筒状の印刷媒体であるチューブ９（図４参照）との夫々に印刷可能な装置である。印刷装置１は、筐体１０とカバー１２を備える。筐体１０は、左右方向に長い略直方体状の箱体である。筐体１０は、複数の側面として、前後方向に対向する前面１０Ａ及び後面１０Ｂと、左右方向に対向する左面１０Ｃ及び右面１０Ｄを有する。筐体１０は、テープ印刷機構５０（図４参照）、チューブ印刷機構６０（図４参照）、制御基板１８等を収容する。筐体１０内の上部には、テープ装着部３０、リボン装着部３５及びチューブ装着部４０が設けられ、夫々、筐体１０の上面１０Ｅに開口する。
【００２１】
カバー１２は、筐体１０の上側に配置された板状部材である。カバー１２の後端部は、筐体１０の後端部上側で、左右方向に延びる回転軸Ｃ（図２参照）を中心に回動可能に支持されている。カバー１２は、前端部側を、回転軸Ｃの周方向Ａ（図２参照）に沿って上下に回動し、筐体１０の上面１０Ｅの開口を開閉する。筐体１０の前端部上側には、ロック機構１３が設けられている。ロック機構１３は、筐体１０に対してカバー１２が閉じられた場合に、カバー１２の前端部を係止して開放を規制する。
【００２２】
カバー１２が筐体１０に対して閉じられている場合（図１参照）、カバー１２は筐体１０の上面１０Ｅ（図２参照）を覆う。印刷装置１は、カバー１２を開く場合、ロック機構１３が操作されることによってカバー１２の係止を解除し、カバー１２をロック機構１３から上側に回動させる。カバー１２が筐体１０に対して開かれている場合（図２参照）、筐体１０の上面１０Ｅは上方に露出する。
【００２３】
図３に示すように、カバー１２の上面は、略平面に形成される。カバー１２の上面には、２つの窓部１２Ａ，１２Ｂが設けられる。カバー１２が閉じられている場合、ユーザは、窓部１２Ａ，１２Ｂを介し、テープカセット８０及びリボンカセット９０の装着状態を確認することができる。カバー１２の上部には、装着部１１が設けられる。装着部１１には、後述するキーボード７が取り外し可能に装着される。装着部１１は、一対の保持部３，４と規制部５を備える。
【００２４】
保持部３は、カバー１２の上面で後側の端部に設けられ、カバー１２の左右方向略全長に亘って上方へ向けて立設する壁状に形成される。保持部３の上面は、右側の端部３Ａにおいてなだらかに傾斜し、カバー１２上面に接続する。保持部３の上端には、前方に突出する鍔部３Ｂが形成される。鍔部３Ｂは、保持部３の左右方向略中央に設けられ、カバー１２の左右方向の長さの１／３以上で１未満の長さを有する。本実施形態では、鍔部３Ｂの長さは、カバー１２の左右方向の長さの３／４である。装着部１１に主面７Ａを上向きにしてキーボード７を装着したとき、鍔部３Ｂにはキーボード７後面下側の溝部７７Ｄ（図９参照）が係合する。鍔部３Ｂの前面は、鍔部３Ｂの左右方向両端部においてなだらかに傾斜し、保持部３の前面に接続する。鍔部３Ｂの右端部寄りの位置には、前面が後方へ凹む形状に切り欠かれた切欠部３Ｃが形成されている。装着部１１にキーボード７を装着したとき、切欠部３Ｃにはキーボード７の突起部７８（図９参照）が係合し、キーボード７の装着部１１からの外れを防止する。
【００２５】
保持部４は、カバー１２の上面で前側の端部に、保持部３と一対の壁状に形成される。保持部４の右側の端部４Ａは傾斜し、保持部４の上面をカバー１２上面に接続する。保持部４の上端で左右方向略中央には、後方に突出し、鍔部３Ｂと対をなす鍔部４Ｂが形成される。鍔部４Ｂは、カバー１２の左右方向の長さの１／３以上で１未満の長さを有する。本実施形態では、鍔部４Ｂの長さは、カバー１２の左右方向の長さの３／４である。装着部１１に主面７Ａを上向きにしてキーボード７を装着したとき、鍔部４Ｂにはキーボード７前面下側の溝部７７Ｂ（図９参照）が係合する。鍔部４Ｂの左右方向両端部は傾斜し、夫々、鍔部４Ｂの後面を保持部４の後面に接続する。鍔部４Ｂの右端部寄りの位置には、後面が前方へ凹む形状に切り欠かれた切欠部４Ｃが形成されている。装着部１１にキーボード７を装着したとき、切欠部４Ｃにはキーボード７の突起部７８（図９参照）が係合する。
【００２６】
規制部５は、カバー１２の上面で左側の端部に設けられ、カバー１２の前後方向略全長に亘って上方へ向けて立設する壁状に形成される。規制部５の前後方向両端部は、夫々、保持部３の左端部と保持部４の左端部に接続する。即ち、装着部１１は、カバー１２上面の四方の端部のうち、前方、後方及び左方の端部において連続し、カバー１２上面を囲む形態に設けられる。保持部３，４及び規制部５の高さ（上下方向の長さ）は、全体に亘って略同じ高さである。
【００２７】
筐体１０の側面には、テープ排出口１４、チューブ挿入口１５、チューブ排出口１６（図２参照）、ユーザインターフェイス部１７、及びハンドル２が設けられる。テープ排出口１４は、テープ８を筐体１０の外部に排出するための開口である。テープ排出口１４は、前面１０Ａの右上部に設けられ、且つ上下方向に長い矩形状である。
【００２８】
チューブ挿入口１５は、チューブ９を筐体１０の内部に案内するための開口である。チューブ挿入口１５は、右面１０Ｄの後側上部に設けられ、且つ上下方向に若干長い矩形状である。チューブ排出口１６は、チューブ９を筐体１０の外部に排出するための開口である。チューブ排出口１６は、左面１０Ｃの後側上部に設けられ、且つ上下方向に若干長い矩形状である。チューブ排出口１６は、チューブ挿入口１５よりも若干前側にある。
【００２９】
ユーザインターフェイス部１７は、表示部及び操作部を含む。本実施形態では、表示部は、印刷装置１の動作状態を示す複数のＬＥＤである。操作部は、電源ボタン及びスタートボタンを含む複数の操作ボタンである。ユーザインターフェイス部１７は、前面１０Ａにおけるテープ排出口１４の右側に設けられる。
【００３０】
ハンドル２は、ユーザが印刷装置１を持ち運ぶときに把持する部材である。ハンドル２は、把持部２１と一対の支持部２５，２６を備える。把持部２１は左右方向に延び、筐体１０の及びキーボード７の左右方向の長さよりも若干長い。把持部２１は、ユーザが印刷装置１を持ち運ぶときに把持する部分である。支持部２５は、一端部２５Ａが把持部２１の右端部２１Ａに接続し、把持部２１に直交する方向へ向けて延びる。支持部２６は、一端部２６Ａが把持部２１の左端部２１Ｂに接続し、把持部２１に直交する方向へ向けて、支持部２５と平行に延びる。把持部２１の右端部２１Ａと左端部２１Ｂは、夫々、緩やかな曲線状に屈曲して支持部２５，２６に接続する。支持部２５の他端部２５Ｂは、右面１０Ｄの上部で前後方向略中央の位置に取り付けられ、左右方向に延びる回動軸Ｒ（図１参照）を中心に回動可能に支持される。同様に、支持部２６の他端部２６Ｂ（図５参照）は、左面１０Ｃの上部で前後方向略中央の位置に取り付けられ、支持部２５と同軸の回動軸Ｒを中心に回動可能に支持される。即ち、ハンドル２は、左面１０Ｃ及び右面１０Ｄに架設され、支持部２５，２６の回動によって、把持部２１を筐体１０に対して上下に移動可能である。
【００３１】
筐体１０とハンドル２の回動軸Ｒとの係合部には、回転禁止機構４５（図５参照）が設けられる。把持部２１は、回転禁止機構４５によって、カバー１２の装着部１１よりも上方の第一位置Ｐ１と、装着部１１よりも下方の第二位置Ｐ２との間で移動する。第一位置Ｐ１は、前後方向において筐体１０の略中央に位置する。第二位置Ｐ２は、筐体１０の前方且つ下方に位置する。把持部２１は、筐体１０の前方斜め上方の位置を経由して、第一位置Ｐ１と第二位置Ｐ２との間で移動する。なお、図１では、把持部２１が第一位置Ｐ１に位置する場合のハンドル２の形態を一点鎖線で示し、把持部２１が第二位置Ｐ２に位置する場合のハンドル２の形態を実線で示している。
【００３２】
図５に示すように、回転禁止機構４５は、筐体１０に設けられた禁止部材４６と、支持部２５，２６の回動軸Ｒに夫々設けられた係止ピン２５Ｄ，２６Ｄとが協働し、支持部２５，２６の回動可能な範囲を制限する機構である。禁止部材４６は、軸受部４７、第一係止部４８、第二係止部４９を備える。軸受部４７は、半円弧状の内周面を有する部位であり、回動軸Ｒの外周面に上方から係合する。第一係止部４８は、軸受部４７の前側で下方を向く面を有する部位である。第二係止部４９は、軸受部４７の後側で下方を向く面を有する部位である。係止ピン２５Ｄ，２６Ｄは、回動軸Ｒの外周面から径方向に突出する部位である。
【００３３】
把持部２１が上方へ向けて移動する場合、支持部２５，２６は、係止ピン２５Ｄ，２６Ｄが第一係止部４８に当接するまで回動することができる。係止ピン２５Ｄ，２６Ｄが第一係止部４８に夫々当接する場合、把持部２１は第一位置Ｐ１に位置する。把持部２１が下方へ向けて移動する場合、支持部２５，２６は、係止ピン２５Ｄ，２６Ｄが第二係止部４９に当接するまで回動することができる。係止ピン２５Ｄ，２６Ｄが第二係止部４９に夫々当接する場合、把持部２１は第二位置Ｐ２に位置する。このように、回転禁止機構４５は、把持部２１が第一位置Ｐ１よりも後方へ移動することを規制し、且つ、把持部２１が第二位置Ｐ２よりも下方へ移動することを規制する。
【００３４】
図１〜図３、図５に示すように、支持部２５，２６は、一端部２５Ａ，２６Ａよりも他端部２５Ｂ，２６Ｂ寄りの位置に、夫々、屈曲部２５Ｃ，２６Ｃを有する。屈曲部２５Ｃ，２６Ｃは、把持部２１が第一位置Ｐ１に位置する場合に、前後方向において第二位置Ｐ２側を山側にする向きに屈曲する。支持部２５，２６は、屈曲部２５Ｃ，２６Ｃにおいて、回動軸Ｒと把持部２１とを結ぶ仮想直線上からずれた位置に膨らんで延びる。
【００３５】
図５に示すように、把持部２１が第二位置Ｐ２に位置する場合、支持部２５，２６は、他端部２５Ｂ，２６Ｂから屈曲部２５Ｃ，２６Ｃへ向けて下方へ延び、屈曲部２５Ｃ，２６Ｃから一端部２５Ａ，２６Ａへ向けて、前斜め下方へ延びる。屈曲部２５Ｃ，２６Ｃと一端部２５Ａ，２６Ａとを結ぶ仮想直線Ｌ１が上下方向と直交する平面Ｓに対して傾斜する角度をθ１とする。他端部２５Ｂ，２６Ｂ（回動軸Ｒ）と一端部２５Ａ，２６Ａとを結ぶ仮想直線Ｌ２が平面Ｓに対して傾斜する角度をθ２とする。把持部２１が第二位置Ｐ２に位置する場合、屈曲部２５Ｃ，２６Ｃは他端部２５Ｂ，２６Ｂよりも下方に位置するので、角度θ１は角度θ２よりも小さい。故に、支持部２５，２６は、屈曲部２５Ｃ，２６Ｃを有することによって、平面Ｓに対し、より緩やかな角度θ１で傾いて配置される。
【００３６】
把持部２１が第一位置Ｐ１に位置する場合、他端部２５Ｂ，２６Ｂ（回動軸Ｒ）と一端部２５Ａ，２６Ａとを結ぶ仮想直線Ｌ３は、ほぼ上下方向に沿う。図１に示すように、支持部２５，２６の他端部２５Ｂ，２６Ｂは、前述したように、夫々、右面１０Ｄ，左面１０Ｃの上部で前後方向略中央の位置に取り付けられる。後述するが、キーボード７と筐体１０とを接続するＵＳＢ（Universal Serial Bus）ケーブル７９は、キーボード７を装着部１１に装着した場合の前後方向略中央の位置から筐体１０の右側に引き出される。故に、支持部２５，２６は、把持部２１が第一位置Ｐ１に位置する場合、屈曲部２５Ｃ，２６Ｃを有することによって、キーボード７のＵＳＢケーブル７９との干渉を避けることができる。
【００３７】
また、上記したように、回転禁止機構４５によって、把持部２１が第一位置Ｐ１よりも後側に移動することが規制される。故に、支持部２５，２６の回動によって、ハンドル２がキーボード７のＵＳＢケーブル７９と干渉することが防止される。更に、筐体１０の右面１０Ｄの後側上部にはチューブ挿入口１５が設けられ、左面１０Ｃの後側上部にチューブ排出口１６が設けられている。回転禁止機構４５によって、把持部２１が第一位置Ｐ１よりも後側に移動しないので、チューブ挿入口１５から挿入され、チューブ排出口１６から排出されるチューブ９とハンドル２が支持部２５，２６の回動によって干渉することも防止される。
【００３８】
図１、図２に示すように、把持部２１は、把持部２１が第二位置Ｐ２に位置する場合に上方を向く面に、凹部２２と、一対の凹部２３を有する。凹部２２は、把持部２１の左右方向略中央に形成され、左右方向に延びる。凹部２２は平面視長円状を有し、両端部が夫々半割の半球状に形成され、中間部が半筒状に形成される。凹部２２には、後述するキーボード７の突部７５（図９参照）が係合する。一対の凹部２３は、把持部２１の左右方向両側の端部に夫々形成される。凹部２３の形状は、半球状である。一対の凹部２３には、後述するキーボード７の４つの脚部７４のうち、後側に設けられる２つの脚部７４（図９参照）が夫々係合する。
【００３９】
図２、図４に示すように、筐体１０内上部には、テープ装着部３０、リボン装着部３５、チューブ装着部４０等が設けられる。テープ装着部３０は、テープカセット８０を着脱可能な部位である。テープ装着部３０は、上面１０Ｅに開口する凹部であり、平面視でテープカセット８０の外形形状と略対応する開口形状で形成される。本実施形態のテープ装着部３０は、上面１０Ｅの右部、且つチューブ装着部４０の前側に設けられる。テープカセット８０がテープ装着部３０に装着された状態で、テープカセット８０に収容された各種テープ及びインクリボンの幅方向は、上下方向と略平行である（図１参照）。
【００４０】
図４に示すように、搬送路３３は、テープ装着部３０の右前部から連続して前方に延びる溝部である。搬送路３３の前端部は、テープ排出口１４に接続する。テープガイド３４は、搬送路３３におけるテープ排出口１４の後側に設けられる。テープガイド３４は、左右方向に対向配置された一対のローラである。ローラは、筐体１０の底面と直交する軸線を中心に回転可能な回転体である。一対のローラ間にはテープ８が通過可能な隙間が形成される。テープガイド３４は、一対のローラがテープ８を搬送する方向を設計変更することで、テープ排出口１４からテープ８を排出する向きを変更できる。
【００４１】
リボン装着部３５は、リボンカセット９０を着脱可能な部位である。リボン装着部３５は、上面１０Ｅに開口する凹部であり、平面視でリボンカセット９０の外形形状と略対応する開口形状で形成される。本実施形態のリボン装着部３５は、上面１０Ｅの左部、且つチューブ装着部４０の前側に設けられる。即ち、テープ装着部３０及びリボン装着部３５は、互いに左右方向に並ぶように、後述のチューブ搬送方向に沿って配置される。本実施形態では、テープ装着部３０の略全体とリボン装着部３５の略全体とが左右方向に重なる。
【００４２】
チューブ装着部４０は、チューブ９を着脱可能な部位である。チューブ装着部４０は上面１０Ｅに開口する溝部であり、チューブ挿入口１５からチューブ排出口１６まで延びる。チューブ排出口１６はチューブ挿入口１５よりも若干前側にあるため、チューブ装着部４０は若干左前側に傾いて略左右方向に延びる。リボン装着部３５の後端部は、チューブ排出口１６の右側で、チューブ装着部４０と空間的に繋がる。チューブ挿入口１５からチューブ排出口１６に向けてチューブ装着部４０が延びる方向を、チューブ搬送方向という。チューブ搬送方向と直交するチューブ装着部４０の溝幅は、チューブ装着部４０とリボン装着部３５とが空間的に繋がる部位を除いて、チューブ９の外径よりも僅かに大きい。ユーザは、カバー１２が開かれた状態で、チューブ９をチューブ装着部４０に対して上方から装着可能である。ユーザは、チューブ９がチューブ挿入口１５からチューブ排出口１６まで延びるように、チューブ９をチューブ搬送方向に沿って配置し、チューブ装着部４０に装着する。
【００４３】
図４を参照して、制御基板１８、テープ印刷機構５０、チューブ印刷機構６０、テープカセット８０、及びリボンカセット９０を説明する。制御基板１８は、図示外のＣＰＵ、ＲＯＭ、ＲＡＭ、ＣＧＲＯＭ等が設けられた基板であり、印刷装置１の各種動作を制御する。例えば制御基板１８は、テープ印刷機構５０及びチューブ印刷機構６０の各印刷動作を制御する。本実施形態の制御基板１８は、筐体１０（図２参照）の内部における右側下部に設けられる。制御基板１８には、キーボード７から引き出されるＵＳＢケーブル７９が接続されるＵＳＢコネクタ１９（図２参照）が設けられる。ＵＳＢコネクタ１９は、筐体１０の右面１０Ｄ下部で後寄りの位置に凹部状に形成されたプラグ収容部１０Ｆ（図２参照）内に露出され、ＵＳＢケーブル７９のプラグが差し込まれる。また、図示しないが、筐体１０内には電源部も設けられる。電源部は、筐体１０内に装着された電池（図示略）に接続され、又はコードを介して外部電源（図示略）に接続され、印刷装置１に電源を供給する。プラグ収容部１０Ｆ内には、外部電源に接続するコードのコネクタ（図示略）も露出される。
【００４４】
テープカセット８０は、少なくともテープ８を収容可能な箱状体である。本実施形態のテープカセット８０は、テープ８としてフィルムテープ８５及び両面粘着テープ８７を収容し、且つインクリボン８６を収容した、ラミネートタイプのテープカセットである。第一テープロール８１、リボンロール８２、リボン巻取スプール８３、第二テープロール８４、及びテープ駆動ローラ８８は、テープカセット８０内で夫々回転自在に支持される。
【００４５】
第一テープロール８１は、スプール（図示略）に巻回された未使用のフィルムテープ８５である。リボンロール８２は、スプール（図示略）に巻回された未使用のインクリボン８６である。リボン巻取スプール８３は、使用済みのインクリボン８６が巻回されるスプールである。第二テープロール８４は、スプール（図示略）に巻回された未使用の両面粘着テープ８７である。テープ駆動ローラ８８は、テープ８を搬送するためのローラである。
【００４６】
テープ印刷機構５０は、印刷ヘッド５１、プラテンホルダ５２、プラテンローラ５３、可動搬送ローラ５４、テープ駆動軸５５、リボン巻取軸５６、カッター５７、第一駆動モータ（図示略）、カッターモータ（図示略）、第二駆動モータ（図示略）等を含む。印刷ヘッド５１、テープ駆動軸５５、及びリボン巻取軸５６は、テープ装着部３０の底面から上方に向けて夫々立設される。印刷ヘッド５１は、テープ装着部３０の右前部に設けられた、発熱体（図示略）を備えるサーマルヘッドである。テープ駆動軸５５は、テープ駆動ローラ８８を回転可能な軸である。リボン巻取軸５６は、リボン巻取スプール８３を回転可能な軸である。第一駆動モータ（図示略）は、テープ駆動軸５５及びリボン巻取軸５６を回転駆動するモータである。
【００４７】
プラテンローラ５３は、印刷ヘッド５１に相対して回転可能なローラである。可動搬送ローラ５４は、テープ駆動軸５５に相対して回転可能なローラである。プラテンローラ５３及び可動搬送ローラ５４は、プラテンホルダ５２の先端で回転可能に支持される。プラテンホルダ５２は、テープ装着部３０の右側に配置され、カバー１２（図１参照）の開閉に伴って作動位置と退避位置とに変位可能である。プラテンホルダ５２が作動位置にある場合、プラテンローラ５３及び可動搬送ローラ５４はテープ装着部３０の内側に配置される。プラテンホルダ５２が退避位置にある場合、プラテンローラ５３及び可動搬送ローラ５４はテープ装着部３０の外側に配置される。カッター５７は、テープガイド３４よりも後側に設けられ、搬送路３３にあるテープ８を切断可能である。カッターモータ（図示略）は、カッター５７を駆動するモータである。第二駆動モータ（図示外）は、テープガイド３４の一対のローラを回転駆動するモータである。
【００４８】
カバー１２が開かれると（図２参照）、プラテンホルダ５２は退避位置に変位する。テープ装着部３０にテープカセット８０が装着されると、テープ駆動軸５５及びリボン巻取軸５６はテープ駆動ローラ８８及びリボン巻取スプール８３に夫々挿入される。その後、カバー１２が閉じられると、プラテンホルダ５２は作動位置に変位する。プラテンローラ５３は、未使用のフィルムテープ８５と未使用のインクリボン８６とを重ねて、印刷ヘッド５１に向けて付勢する。可動搬送ローラ５４は、テープ駆動ローラ８８との間で、印刷済みのフィルムテープ８５と未使用の両面粘着テープ８７とを挟む。
【００４９】
テープ印刷機構５０は、制御基板１８の制御に従って、以下の印刷動作を実行する。テープ印刷機構５０の第一駆動モータは、テープ駆動軸５５及びリボン巻取軸５６を回転させることで、テープ駆動ローラ８８及びリボン巻取スプール８３を回転させる。テープ駆動ローラ８８の回転に伴って、フィルムテープ８５が第一テープロール８１から引き出され、且つ両面粘着テープ８７が第二テープロール８４から引き出される。リボン巻取スプール８３の回転に伴って、インクリボン８６がリボンロール８２から引き出される。引き出された両面粘着テープ８７及びインクリボン８６は、印刷ヘッド５１とプラテンローラ５３との間に搬送される。
【００５０】
印刷ヘッド５１は、インクリボン８６を使用してフィルムテープ８５にキャラクタを鏡像印刷する。本実施形態の印刷ヘッド５１は、その右側を経由するフィルムテープ８５の左面にキャラクタを印刷する。使用済みのインクリボン８６は、リボン巻取スプール８３に巻き取られる。印刷済みのフィルムテープ８５は、可動搬送ローラ５４とテープ駆動ローラ８８との間に搬送されて、引き出された両面粘着テープ８７が貼り付けられる。これにより、フィルムテープ８５の印刷面に両面粘着テープ８７が貼り付けられたテープ８が作成される。なお、作成されたテープ８では、フィルムテープ８５の印刷面とは反対側の面にキャラクタが現れる。
【００５１】
更にテープ８は、搬送路３３内を通過して、テープガイド３４まで前方に搬送される。テープ印刷機構５０の第二駆動モータは、テープガイド３４の一対のローラを回転駆動して、テープ８を更に前方に搬送する。搬送されたテープ８は、テープ８の幅方向が上下方向と略平行となる姿勢で、テープ排出口１４から前方に排出される。このときテープ８は、その印刷面が右方を向くように、前面１０Ａから前方に排出される。テープ印刷機構５０のカッターモータは、カッター５７を駆動して、テープガイド３４の後方でテープ８を切断する。切断されたテープ８（所謂ラベル）は、筐体１０の前方で落下する。
【００５２】
リボンカセット９０は、インクリボン９３を収容可能な箱状体である。リボンロール９１及びリボン巻取スプール９２は、リボンカセット９０内で夫々回転自在に支持される。リボンロール９１は、スプール（図示略）に巻回された未使用のインクリボン９３である。リボン巻取スプール９２は、使用済みのインクリボン９３が巻回されるスプールである。
【００５３】
チューブ印刷機構６０は、印刷ヘッド６１、可動搬送ローラ６２、リボン巻取軸６３、カッター６４、刃受け板６５、駆動モータ（図示略）、カッターモータ（図示略）等を含む。印刷ヘッド６１及びリボン巻取軸６３は、リボン装着部３５の底面から上方に向けて夫々立設される。印刷ヘッド６１は、リボン装着部３５の後部に設けられた、発熱体（図示略）を備えるサーマルヘッドである。リボン巻取軸６３は、リボン巻取スプール９２を回転可能な軸である。
【００５４】
可動搬送ローラ６２は、印刷ヘッド６１に相対して回転可能なローラである。可動搬送ローラ６２は、リボン装着部３５の後側に配置され、カバー１２（図１参照）の開閉に伴って作動位置と退避位置とに変位可能である。可動搬送ローラ６２が作動位置にある場合、可動搬送ローラ６２はチューブ装着部４０の内側に配置されて、印刷ヘッド６１に近接する。可動搬送ローラ６２が退避位置にある場合、可動搬送ローラ６２はチューブ装着部４０の後側に配置されて、印刷ヘッド６１から離隔する。駆動モータ（図示略）は、可動搬送ローラ６２及びリボン巻取軸６３を回転駆動するモータである。
【００５５】
カッター６４及び刃受け板６５は、チューブ排出口１６よりもチューブ搬送方向の上流側、且つリボン装着部３５よりもチューブ搬送方向の下流側に設けられる。カッター６４及び刃受け板６５は、チューブ装着部４０を挟んで対向配置される。カッター６４は、刃受け板６５に向けて移動することで、チューブ装着部４０にあるチューブ９を刃受け板６５に押し当てて切断可能である。カッターモータ（図示略）は、カッター６４を駆動するモータである。
【００５６】
カバー１２が開かれると、可動搬送ローラ６２は退避位置に変位する。リボン装着部３５にリボンカセット９０が装着されると、リボン巻取軸６３はリボン巻取スプール９２に挿入される。その後、カバー１２が閉じられると、可動搬送ローラ６２は作動位置に変位する。可動搬送ローラ６２は、チューブ装着部４０にあるチューブ９と未使用のインクリボン９３とを重ねて、印刷ヘッド６１に向けて付勢する。このときチューブ９は、可動搬送ローラ６２の付勢力によって弾性変形して、インクリボン９３を介して印刷ヘッド６１と面接触する。
【００５７】
チューブ印刷機構６０は、制御基板１８の制御に従って、以下の印刷動作を実行する。チューブ印刷機構６０の駆動モータは、可動搬送ローラ６２及びリボン巻取軸６３を回転させる。可動搬送ローラ６２の回転に伴って、チューブ装着部４０内にあるチューブ９は、チューブ搬送方向の下流側に搬送される。このとき、筐体１０の外部にある印刷前のチューブ９は、チューブ挿入口１５を介して右面１０Ｄから、チューブ装着部４０内に引き込まれる。リボン巻取軸６３の回転に伴ってリボン巻取スプール９２が回転することで、インクリボン９３がリボンロール９１から引き出される。
【００５８】
印刷ヘッド６１は、引き出されたインクリボン９３を使用して、搬送されるチューブ９にキャラクタを印刷する。本実施形態の印刷ヘッド６１は、その後側を経由するチューブ９の前面にキャラクタを正像印刷する。従ってチューブ９の前面が、チューブ９の印刷面である。使用済みのインクリボン９３は、リボン巻取スプール９２に巻き取られる。印刷後のチューブ９は、可動搬送ローラ６２からチューブ搬送方向の下流側に搬送されて、チューブ排出口１６を介して筐体１０から排出される。このときチューブ９は、その印刷面が前方を向くように、左面１０Ｃから左方に排出される。チューブ印刷機構６０のカッターモータは、カッター６４を駆動して、チューブ排出口１６よりもチューブ搬送方向の上流側でチューブ９を切断する。切断されたチューブ９は、筐体１０の左方で落下する。
【００５９】
図６〜図９を参照して、キーボード７を説明する。なお、図６〜図９におけるキーボード７の向きは、キーボード７を装着部１１に装着し、カバー１２を閉じた状態（図１参照）において、印刷装置１の向きに倣うものとする。キーボード７は、平面視、略長方形状で左右方向に長い箱形状である。キーボード７の上下方向の高さは、装着部１１の保持部３，４及び規制部５の高さよりも高い。キーボード７の前後方向及び左右方向の長さは、夫々、筐体１０の前後方向及び左右方向の長さと略同じである。キーボード７は、上側を向く主面７Ａに、入力を受け付ける複数のキーからなる操作部７０と、情報を表示する表示部７１を備える。表示部７１は、例えば液晶ディスプレイである。ユーザは、表示部７１の表示を見ながら操作部７０を操作して、印刷媒体に印刷する文字、記号、図形等を編集することができる。
【００６０】
キーボード７は、下側を向く裏面７Ｂに、４つの脚部７４と２つの突部７５，７６を備える。４つの脚部７４は、裏面７Ｂの四隅に夫々設けられ、夫々が裏面７Ｂから高さＨ１（図９参照）で突出する。脚部７４の表面は丸みを帯びて形成される。脚部７４は、裏面７Ｂと一体に形成される。突部７６は、裏面７Ｂの前側に設けた２つの脚部７４間に設けられ、左右方向に延びる。突部７６は、裏面７Ｂ前側の縁部に配置され、裏面７Ｂから高さＨ２（図９参照）で突出する。突部７６は、裏面７Ｂ前側の脚部７４よりも前側に位置する。突部７５は、裏面７Ｂの後側に設けた２つの脚部７４間に設けられ、左右方向に延びる。突部７５は、裏面７Ｂ後側の縁部に配置され、裏面７Ｂから突部７６と同じ高さＨ２で突出する。突部７５は、裏面７Ｂ後側の脚部７４よりも後側に位置する。突部７５，７６の表面は、夫々丸みを帯びて形成される。突部７５，７６は、裏面７Ｂと一体に形成される。脚部７４が裏面７Ｂから突出する高さＨ１は、突部７５，７６が裏面７Ｂから突出する高さＨ２より高い。このため、キーボード７が平面上に配置された場合、４つの脚部７４は平面に当接してキーボード７を支え、且つ突部７５，７６を平面から離した状態に維持する。
【００６１】
キーボード７の裏面７Ｂには、樹脂等のコーティングが施されている。４つの脚部７４及び突部７５，７６の表面にもコーティングが施されることによって、脚部７４及び突部７５，７６は、平面上に配置された場合に、滑り止め効果を得ることができる。なお、４つの脚部７４及び突部７５，７６は、キーボード７の裏面７Ｂとは別体に形成されたゴム足等を貼り付けることによって、キーボード７に設けられてもよい。
【００６２】
キーボード７は、上下方向の略中央に、上下方向に対する周方向の一周に亘って外向きに張り出す膨出部７２を備える。膨出部７２の右面で、前後方向略中央には、キーボード７内の基板（図示略）にＵＳＢケーブル７９を接続する接続部７３（図８参照）が形成されている。ＵＳＢケーブル７９は、キーボード７内の基板に直接接続されてもよいし、コネクタを介して取り外し可能に接続されてもよい。
【００６３】
キーボード７の前面で膨出部７２の上側には、後方に凹んで左右方向に延びる溝部７７Ａが形成されている。キーボード７の前面で膨出部７２の下側にも、後方に凹んで左右方向に延びる溝部７７Ｂが形成されている。溝部７７Ａ，７７Ｂは、膨出部７２に対して上下方向に対称となる位置に設けられる。キーボード７の後面で膨出部７２の上側には、前方に凹んで左右方向に延びる溝部７７Ｃが形成されている。キーボード７の後面で膨出部７２の下側にも、前方に凹んで左右方向に延びる溝部７７Ｄが形成されている。溝部７７Ｃ，７７Ｄも同様に、膨出部７２に対して上下方向に対称となる位置に設けられる。４つの溝部７７Ａ，７７Ｂ，７７Ｃ，７７Ｄは、夫々、装着部１１の鍔部３Ｂ，４Ｂよりも左右方向に長く延びる。溝部７７Ａと溝部７７Ｃは、キーボード７の主面７Ａを挟んで前後方向に対称となる位置に設けられる。溝部７７Ｂと溝部７７Ｄは、キーボード７の裏面７Ｂを挟んで前後方向に対称となる位置に設けられる。
【００６４】
４つの溝部７７Ａ，７７Ｂ，７７Ｃ，７７Ｄは、夫々、装着部１１の鍔部３Ｂ，４Ｂよりも左右方向に長く延びる。４つの溝部７７Ａ，７７Ｂ，７７Ｃ，７７Ｄの左端部は、夫々、キーボード７の左端部に形成される。４つの溝部７７Ａ，７７Ｂ，７７Ｃ，７７Ｄの右端部は、キーボード７の右端部には形成されておらず、夫々、右端部よりも左右方向において若干中央寄りの位置に形成される。キーボード７は、主面７Ａを上向きにして装着部１１に装着することができる（図１参照）。この場合、保持部３，４の鍔部３Ｂ，４Ｂには、溝部７７Ｄ，７７Ｂが夫々係合される。ユーザは、装着部１１にキーボード７を装着した状態で、操作部７０に対する操作を行い、印刷媒体に印刷する文字、記号、図形等を編集することができる。キーボード７は、裏面７Ｂを上向きにして装着部１１に装着することもできる（図１３参照）。この場合、保持部３，４の鍔部３Ｂ，４Ｂには、溝部７７Ａ，７７Ｃが夫々係合される。印刷装置１は、キーボード７の操作部７０を外部との接触から保護することができる。
【００６５】
また、ＵＳＢケーブル７９の接続部７３は、キーボード７の右端部において前後方向の略中央に設けられている。故に、主面７Ａと裏面７Ｂを反転させてキーボード７を装着部１１に装着しても、ＵＳＢケーブル７９は、キーボード７や筐体１０に絡まりにくい。更に、主面７Ａと裏面７Ｂを反転させてキーボード７を装着部１１に装着しても、接続部７３は、筐体１０に対し、前後方向の略中央に位置できる。故に、上記したように、ハンドル２の支持部２５とＵＳＢケーブル７９との干渉を、屈曲部２５Ｃによって避けることができる。
【００６６】
４つの溝部７７Ａ，７７Ｂ，７７Ｃ，７７Ｄは、夫々の右端部寄りの位置に、溝底から溝内に突起する突起部７８を有する。キーボード７を装着部１１に装着したとき、突起部７８は、保持部３，４の鍔部３Ｂ，４Ｂに形成された切欠部３Ｃ，４Ｃ（図３参照）に係合し、装着部１１からのキーボード７の外れを防止する。
【００６７】
図１０〜図１２を参照して、ケーブルクリップ６を説明する。なお、図１０〜図１２におけるケーブルクリップ６の向きは、ケーブルクリップ６を筐体１０の右面１０Ｄに取り付けた状態（図１参照）において、印刷装置１の向きに倣うものとする。ケーブルクリップ６は、上下方向に延び、右面の一部が開環する半筒状の部材である。ケーブルクリップ６は、取付部６Ａ、背部６Ｃ、前保持部６Ｄ及び後保持部６Ｅを有する。
【００６８】
背部６Ｃは、略矩形の板状部分である。取付部６Ａは、背部６Ｃの上下方向及び左右方向の略中央から左方へ向けて二股に分かれて突出する。取付部６Ａは、先端部分に鍔状の返し部６Ｂを有する。ケーブルクリップ６は、筐体１０の右面１０Ｄに形成された穴部（図示略）に挿入される取付部６Ａが、筐体１０内で穴部の径方向に広がり、返し部６Ｂが筐体１０内面に引っ掛かることで、筐体１０に取り付けられる。
【００６９】
前保持部６Ｄは、背部６Ｃの前端部から右方へ向けて延びる部分である。前保持部６Ｄと背部６Ｃとの接続部分は、平面視、緩やかな弧状に形成される。前保持部６Ｄの右端部６Ｆは、後方へ向けて、平面視、緩やかな弧状に屈曲する。後保持部６Ｅは、背部６Ｃの後端部から右方へ向けて、前保持部６Ｄと平行に延びる部分である。後保持部６Ｅと背部６Ｃとの接続部分は、平面視、緩やかな弧状に形成される。後保持部６Ｅの右端部６Ｇは、前方へ向けて、平面視、緩やかな弧状に屈曲する。前保持部６Ｄの右端部６Ｆと、後保持部６Ｅの右端部６Ｇは、前後方向に対向する。右端部６Ｆと右端部６Ｇとの間には、ＵＳＢケーブル７９の直径よりも大きい間隙を有する。背部６Ｃ、前保持部６Ｄ及び後保持部６Ｅは、平面視、略Ｃ字状に開環する半筒状に形成される。
【００７０】
図１に示すように、キーボード７を装着部１１に装着したとき、ケーブルクリップ６の環内にＵＳＢケーブル７９が折り畳まれて挿入される。ケーブルクリップ６は、背部６Ｃ、前保持部６Ｄ及び後保持部６Ｅの内面でＵＳＢケーブル７９を挟み込み、環内に保持することができる。ユーザは、右端部６Ｆと右端部６Ｇとの間隙を通すことで、ＵＳＢケーブル７９を折り畳んだ状態でケーブルクリップ６の環内に挿入し、保持させることができる。また、ユーザは、右端部６Ｆと右端部６Ｇとの間隙を通すことで、ケーブルクリップ６の環内から折り畳んだ状態のＵＳＢケーブル７９を伸ばしながら取り出すことができる。
【００７１】
前述したように、印刷装置１のキーボード７は、装着部１１に対し、取り外し可能に装着することができる。キーボード７の着脱は、ハンドル２の把持部２１を第二位置Ｐ２に配置された状態で行われる。主面７Ａを上向きにして装着する場合（図１参照）、キーボード７は、前面及び後面に形成された一対の溝部７７Ｂ，７７Ｄ（図９参照）が、装着部１１の一対の鍔部４Ｂ，３Ｂ（図３参照）に夫々係合する。キーボード７は、溝部７７Ｂ，７７Ｄ及び鍔部４Ｂ，３Ｂが延びる左右方向に沿って装着部１１に装着でき、且つ装着部１１から取り外すことができる。カバー１２の回転軸Ｃは、キーボード７の着脱方向である左右方向に延びる。カバー１２の開閉時、カバー１２上部の装着部１１に装着されたキーボード７には、回転軸Ｃの周方向Ａに接する接線Ｂ（図２参照）の延びる方向に、外力が加わる。接線Ｂが回転軸Ｃに直交するので、キーボード７の着脱方向は、カバー１２の開閉時にキーボード７に加わる外力の方向に対して直交する。従って、カバー１２開閉の勢いで、キーボード７が装着部１１から外れてしまうことはない。また、ユーザが、カバー１２を開くときにキーボード７を掴んで持ち上げたり、カバー１２を閉じるときにキーボード７を上から押し下げたりする場合がある。この場合においても、キーボード７に掛かる外力の向きが着脱方向に直交し、着脱方向へは外力を受けないので、キーボード７が装着部１１から外れてしまうことはない。
【００７２】
また、キーボード７を装着した状態でカバー１２を閉じた場合に、キーボード７に付加される重力成分の方向は上下方向である。この状態でカバー１２を開いた場合、キーボード７には、前後方向にも重力成分が付加される。しかし、左右方向は、重力の方向と直交するので、キーボード７の着脱方向に重力成分が付加されることはない。故に、キーボード７にかかる重力によって、キーボード７が装着部１１から外れてしまうことはない。
【００７３】
また、キーボード７の溝部７７Ｂ，７７Ｄは、キーボード７の左端部に形成されているが、右端部には形成されていない。故に、キーボード７は、ＵＳＢケーブル７９の接続部７３が設けられた右端部とは反対側の左端部側から、装着部１１に装着することができる。装着部１１は、左端部に規制部５を有し、右端部を開放する。故に、装着部１１は、ＵＳＢコネクタ１９が露出するプラグ収容部１０Ｆが設けられた筐体１０の右面１０Ｄ側からに限定し、キーボード７の着脱を行うことができる。従って、キーボード７の着脱時に、ＵＳＢケーブル７９が装着部１１の右側、且つキーボード７の右側に位置し、装着部１１を交差しないので、ＵＳＢケーブル７９に負荷がかかるのを抑制することができる。
【００７４】
装着部１１の鍔部３Ｂ，４Ｂは、保持部３，４の左右方向の中央に設けられる。装着部１１にキーボード７を装着したとき、キーボード７の重みによって鍔部３Ｂ，４Ｂにかかる負荷は、着脱方向の一方に偏って鍔部３Ｂ，４Ｂに加わりにくい。更に、鍔部３Ｂ，４Ｂと溝部７７Ｂ，７７Ｄとの非係合部分を係合部分の着脱方向両側に一対に配置することができる。故に装着部１１は、キーボード７をバランスよく保持することができる。また、鍔部３Ｂ，４Ｂは、左右方向の長さがカバー１２の長さの１／３以上１未満である。鍔部３Ｂ，４Ｂの左右方向の長さが１に近いほど、鍔部３Ｂ，４Ｂと溝部７７Ｂ，７７Ｄとの係合範囲を大きくできるので、装着部１１は、より確実に、キーボード７を保持することができる。鍔部３Ｂ，４Ｂの左右方向の長さが１／３に近いほど、鍔部３Ｂ，４Ｂと溝部７７Ｂ，７７Ｄとの係合範囲は小さくなるが、装着部１１は、キーボード７のスライド長さをより小さくしてキーボード７の装着及び取り外しを行うことができる。また、鍔部３Ｂ，４Ｂの左右方向の長さが１／３以上であれば、鍔部３Ｂ，４Ｂと溝部７７Ｂ，７７Ｄと係合部分の着脱方向両側に一対に配置される非係合部分の長さを、夫々、係合部分の長さより小さくすることができる。故に、装着部１１は、非係合部分におけるキーボード７の重みによる負荷を、係合部分において十分に支えることができる。
【００７５】
ユーザが印刷装置１を持ち運ぶ場合、ハンドル２の把持部２１が第一位置Ｐ１に移動される（図１参照）。ハンドル２の支持部２５，２６は、装着部１１の左右方向に配置される。支持部２５は、装着部１１において規制部５がなく開放された右端部側に位置する。
即ち、装着部１１にキーボード７が装着されている場合に、支持部２５は、キーボード７の右側に位置する。例えば、運搬時の揺れ等によりキーボード７が着脱方向への外力を受け、鍔部３Ｂ，４Ｂの切欠部３Ｃ，４Ｃと溝部７７Ｂ，７７Ｄの突起部７８との係合が外れた場合、キーボード７は、右面が支持部２５に当接する。故に、キーボード７の着脱方向への移動が支持部２５によって規制されるので、キーボード７が装着部１１から外れてしまうことがない。
【００７６】
キーボード７は、ＵＳＢケーブル７９の接続部７３を、右端部において前後方向の略中央に有する。ハンドル２の支持部２５の他端部２５Ｂは、筐体１０の右面１０Ｄにおいて、前後方向略中央の位置に取り付けられる。よって、ハンドル２の把持部２１が第一位置Ｐ１に位置する場合、支持部２５の他端部２５Ｂと一端部２５Ａとを結ぶ仮想直線Ｌ３（図５参照）が、接続部７３と交差する。ハンドル２の支持部２５は、屈曲部２５Ｃを有することによって、接続部７３と重なる位置を回避して配置されるので、ＵＳＢケーブル７９との接触を避けることができる。
【００７７】
また、ハンドル２は、回転禁止機構４５によって、把持部２１が第一位置Ｐ１よりも後側に移動することが規制される。よって、支持部２５，２６は、チューブ挿入口１５やチューブ排出口１６を塞いだり、チューブ９と接触することがない。
【００７８】
キーボード７を装着部１１から取り外した場合、ユーザは、平面上にキーボード７を配置して操作部７０に対する操作を行い、印刷媒体に印刷する文字、記号、図形等を編集することができる。ケーブルクリップ６が開環状であるので、ユーザは、ケーブルクリップ６に保持したＵＳＢケーブル７９を容易に取り出して伸ばし、キーボード７を移動させることができる。キーボード７の裏面７Ｂの四隅に設けた４つの脚部７４は、突部７５，７６を平面から離した状態に維持する。キーボード７は、裏面７Ｂの四隅に設けた４つの脚部７４によって平面上で安定して支えられるので、ユーザによる操作部７０の操作において、がたつかない。
【００７９】
ユーザは、装着部１１から取り外したキーボード７を平面上に配置する場合に、ハンドル２に立て掛けることもできる（図３参照）。この場合、ハンドル２は、把持部２１が第二位置Ｐ２に位置する状態（図１参照）に配置される。ユーザは、キーボード７の後側を把持部２１上に配置する。キーボード７の左右方向の長さは把持部２１の左右方向の長さよりも短いので、ユーザは、キーボード７を支持部２５，２６と干渉することなく支持部２５，２６間に配置することができる。ユーザは、支持部２５，２６によってキーボード７の左右方向の位置合わせを行うことができる。
【００８０】
ユーザは、把持部２１上に配置したキーボード７を前後方向に移動させる。キーボード７の裏面７Ｂ後側の突部７５が、把持部２１が第二位置Ｐ２に位置する場合の上面に形成された凹部２２に嵌まり、キーボード７と把持部２１とが互いに位置決めされる。キーボード７と把持部２１との位置合わせが突部７５と凹部２２との嵌め込みによって行われるので、ユーザは、凹部２２に対する突部７５の位置を覗き込まなくとも、容易に、把持部２１に対するキーボード７の位置決めを行うことができる。なお、把持部２１側を凹部形成したので、ユーザは、印刷装置１を持ち運ぶとき、把持部２１を把持するユーザの手に突き当たるものがなく、持ち運びしやすい。また、突部７５と凹部２２は、夫々、キーボード７とハンドル２に一体に形成できるため、他の部品を取り付けなくとも、容易に設けることができる。
【００８１】
突部７５と凹部２２は左右方向に長く延びる。このため、突部７５と凹部２２は、係合した状態において、互いの接触面積をより広く確保することができ、係合状態を維持しやすい。故に、ユーザがキーボード７の操作部７０に対する操作を行った場合に、振動等によるキーボード７の位置ずれを抑制することができる。また、突部７５と凹部２２とが左右方向に長く係合するので、キーボード７が、把持部２１に対し、突部７５と凹部２２の係合位置を中心に回転する向きに位置ずれすることも抑制することができる。
【００８２】
また、把持部２１には一対の凹部２３が設けられている。突部７５が凹部２２に係合した状態で、一対の凹部２３には、キーボード７の裏面７Ｂ後側の２つの脚部７４が夫々係合する。脚部７４と凹部２３との係合によって、キーボード７は、より確実に、把持部２１に対して位置決めすることができる。
【００８３】
ユーザは、把持部２１に対して位置決めしたキーボード７の前側を、平面上に下ろす。キーボード７の後側は把持部２１に立て掛けられた状態となり、把持部２１の大きさ分、前側よりも高い位置に位置する。従って、キーボード７は、平面に対して主面７Ａの前側を後側よりも下側に傾斜させた状態で、平面上に配置される（図３参照）。このように、キーボード７を傾斜させて配置することができるので、ユーザはキートップ及び表示部７１が見やすくなり、操作部７０に対する操作を行いやすい。
【００８４】
また、キーボード７の裏面７Ｂの前側に設けられた突部７６は、裏面７Ｂ前側に設けられた２つの脚部７４よりも前側に位置する。このため、キーボード７の後端部が把持部２１に立て掛けられた場合に、突部７６は、脚部７４を平面から離した状態で、平面に当接することができる。突部７６は左右方向に長く形成され、且つ滑り止め効果を有するため、平面に対するキーボード７の滑りを抑制することができる。故にユーザは、操作部７０に対する操作を行いやすい。
【００８５】
また、前述したように、ハンドル２の支持部２５，２６が屈曲部２５Ｃ，２６Ｃを有することによって、支持部２５，２６が平面に対して傾く角度は、屈曲部２５Ｃ，２６Ｃがない場合と比べて緩やかな角度である。本実施形態のキーボード７は、左右方向の長さが把持部２１より短いため、屈曲部２５Ｃ，２６Ｃの構成は、キーボード７を把持部２１に立て掛けた場合の傾斜角度に影響しにくい。しかし、把持部２１の形成において、キーボード７の突部７５に係合する凹部２２を形成するためには、把持部２１に立て掛けた場合のキーボード７の傾斜角度に応じ、凹部２２形成に必要な大きさを有する当接部を把持部２１に設ける必要がある。屈曲部２５Ｃ，２６Ｃの構成によって支持部２５，２６が平面に対して傾く角度が緩やかとなることで、把持部２１は、把持部２１を大きく削って加工せずともキーボード７の裏面７Ｂとの当接面積を確保しやすいので、突部７５に係合する凹部２２の形成が容易である。
【００８６】
仮に、キーボードの左右方向の長さが把持部２１より長い場合、キーボードを把持部２１に立て掛けた場合に、キーボードの左右方向両側の端部は、支持部２５，２６の一端部２５Ａ，２６Ａに夫々当接する。この場合、平面に対するキーボードの傾斜角度は、支持部２５，２６との当接位置に応じて、本実施形態よりも大きくなる可能性がある。このような場合に、支持部２５，２６が屈曲部２５Ｃ，２６Ｃを有する構成であれば、キーボードが支持部２５，２６に当接しても、平面に対するキーボードの傾斜角度をより小さくすることができる。
【００８７】
なお、本発明は上記実施形態に限定されず、種々の変更を加えることが可能である。装着部１１の保持部３，４は、夫々、カバー１２の上面で後側の端部と前側の端部に設けたが、左側の端部と右側の端部に夫々設けてもよい。規制部５は、カバー１２の上面で後側の端部に設けるとよい。この場合、キーボード７の着脱方向は、カバー１２の開閉過程において、カバー１２を閉じた場合の前後方向と、カバー１２を開いた場合の上下方向との間で変化する。しかし、カバー１２開閉過程のいずれの場合においても、キーボード７の着脱方向は、カバー１２前端部において回転軸Ｃの周方向Ａに接する接線Ｂが延びる方向に対し、直交する。従って、ユーザが、カバー１２の開閉時に誤ってキーボード７を掴んでも、キーボード７が装着部１１から外れてしまうことはない。
【００８８】
また、キーボード７は、例えば脚部７４を廃し、突部７５，７６をキーボード７の左右方向の全長に亘って設け、突部７５，７６が脚部７４を兼ねる構成であってもよい。あるいは、キーボード７は、例えば突部７５，７６を廃し、脚部７４が突部７５，７６を兼ねて、把持部２１に対する位置決めを行う構成であってもよい。
【００８９】
装着部１１の規制部５はなくてもよい。装着部１１の保持部３，４に、鍔部３Ｂ，４Ｂの代わりに溝部を形成し、キーボード７の前面及び後面に、溝部７７Ａ〜７７Ｄの代わりに鍔部を設けてもよい。キーボード７と制御基板１８とは、ＵＳＢケーブル７９を介した接続に限らず、例えばＢｌｕｅｔｏｏｔｈ（登録商標）等、無線通信による接続を行ってもよい。
【００９０】
本実施形態では、ハンドル２の把持部２１に凹部２２を設け、キーボード７に設けた突部７５と係合させてキーボード７の位置決めを行った。これに限らず、キーボード７の裏面７Ｂに、例えばゴム板を張り付け、把持部２１に対して摩擦力による位置決めを行ってもよい。又は、把持部２１にゴム板を張り付け、キーボード７の裏面７Ｂに対して摩擦力による位置決めを行ってもよい。或いは、キーボード７にフック等を設け、把持部２１にフックを掛け留めることによって把持部２１に対するキーボード７の位置決めを行ってもよい。
【００９１】
上記実施形態において、テープ８及びチューブ９が、本発明の「印刷媒体」に相当する。テープ印刷機構５０及びチューブ印刷機構６０が、本発明の「印刷部」に相当する。制御基板１８が、本発明の「制御部」に相当する。カバー１２が、本発明の「蓋体」に相当する。キーボード７が、本発明の「入力装置」に相当する。ＵＳＢケーブル７９が、本発明の「接続線」に相当する。チューブ挿入口１５が、本発明の「導入口」に相当する。回転禁止機構４５が、本発明の「禁止機構」に相当する。溝部７７Ａ，７７Ｃが、本発明の「第一溝部」に相当する。溝部７７Ｂ，７７Ｄが、本発明の「第二溝部」に相当する。前保持部６Ｄと後保持部６Ｅが、本発明の「一対の保持部」に相当する。
【符号の説明】
【００９２】
１                                  印刷装置
２                                  ハンドル
３Ｂ，４Ｂ                          鍔部
５                                  規制部
６                                  ケーブルクリップ
６Ｄ                                前保持部
６Ｅ                                後保持部
７                                  キーボード
７Ａ                                主面
７Ｂ                                裏面
８                                  テープ
９                                  チューブ
１０                                筐体
１１                                装着部
１２                                カバー
１５                                チューブ挿入口
１８                                制御基板
２１                                把持部
２５                                支持部
２５Ｃ                              屈曲部
２６                                支持部
２６Ｃ                              屈曲部
４５                                回転禁止機構
５０                                テープ印刷機構
６０                                チューブ印刷機構
７０                                操作部
７３                                接続部
７７Ａ，７７Ｂ，７７Ｃ，７７Ｄ      溝部
７９                                ＵＳＢケーブル
Ｃ                                  回転軸
Ｐ１                                第一位置
Ｐ２                                第二位置
【図１】
0006299648.tif 000002
【図２】
0006299648.tif 000003
【図３】
0006299648.tif 000004
【図４】
0006299648.tif 000005
【図５】
0006299648.tif 000006
【図６】
0006299648.tif 000007
【図７】
0006299648.tif 000008
【図８】
0006299648.tif 000009
【図９】
0006299648.tif 000010
【図１０】
0006299648.tif 000011
【図１１】
0006299648.tif 000012
【図１２】
0006299648.tif 000013
【図１３】
0006299648.tif 000014